(57)【特許請求の範囲】
【請求項１】
メモリが配置された３つ以上のノードを有し、各ノードのメモリの情報を周期的に交換することで仮想的に同一メモリ空間を共有する第１コモンメモリを備えるネットワークであって、第１ノードに接続し表示信号を送信する制御装置と、第２ノードに接続し前記表示信号を受信して画面上に表示用品を表示する旧ＨＭＩ装置と、第３ノードに接続するゲートウェイとの間で、前記第１コモンメモリを介して信号を共有する第１ネットワークと、
メモリが配置された２つ以上のノードを有し、各ノードのメモリの情報を周期的に交換することで仮想的に同一メモリ空間を共有する第２コモンメモリを備えるネットワークであって、第４ノードに接続する前記ゲートウェイと、第５ノードに接続し前記表示信号を受信して画面上に表示用品を表示する新ＨＭＩ装置との間で、前記第２コモンメモリを介して信号を共有する第２ネットワークと、を備え、
前記ゲートウェイは、前記第１コモンメモリの各アドレスが指定する記憶領域に記憶された信号を、第２コモンメモリに指定した先頭アドレス以降の各アドレスが指定する記憶領域に、アドレス間の相対位置を変えずにそのまま転写するように構成された制御監視システムにおいて、前記新ＨＭＩ装置の設計を支援する設計支援装置であって、
前記旧ＨＭＩ装置の表示用品に関連付けられた旧表示信号名称と、前記表示信号を格納する記憶領域を指定する前記第１コモンメモリのアドレスとが関連付けられた旧プラント制御管理仕様情報を取得する取得部と、
前記旧プラント制御管理仕様情報と前記先頭アドレスとに基づいて、前記表示信号を格納する記憶領域を指定する前記第１コモンメモリのアドレスを、アドレス間の相対位置を変えずに、前記第２コモンメモリで使用可能なアドレス形式に変換した新アドレスと、前記旧表示信号名称を前記新ＨＭＩ装置で使用可能な名称形式に変換した新表示信号名称とを関連付けて、前記新ＨＭＩ装置の新プラント制御管理仕様情報を生成する変換部と、
を備えることを特徴とする設計支援装置。
【請求項２】
前記新プラント制御管理仕様情報から、前記新ＨＭＩ装置の表示用品に関連付けられた前記新表示信号名称と、前記新表示信号名称に関連付けられた前記新アドレスとを含む情報であって、前記新ＨＭＩ装置が読み込み可能なファイル形式に変換されたタグ変数情報を生成するタグ変数情報生成部、
をさらに備えることを特徴とする請求項１記載の設計支援装置。
【発明の詳細な説明】
【技術分野】
【０００１】
この発明は、設計支援装置に関する。特に、制御装置（コントローラ）と旧ＨＭＩ（Human Machine Interface）装置とがコモンメモリを介して信号を送受信する既存ネットワークと、既存ネットワークとは別のコモンメモリを有する新設ネットワークとを備える制御監視システムにおいて、旧ＨＭＩ装置を新設ネットワーク上の新ＨＭＩ装置にリプレースする場合に新ＨＭＩ装置の設計を支援する設計支援装置に関する。
【背景技術】
【０００２】
一般に、鉄鋼プラント等を中心としたプラントの制御監視システムにおいては、主にハードウェア用品により構成される操作盤から受け付けた操作信号に基づいて制御装置がプラントの制御を行うものから、操作画面を有するＨＭＩ装置から制御装置が操作信号を受け付け、この操作信号に基づいて制御装置がプラントの制御を行うものへ急激な変化を遂げている。
【０００３】
さらに、このようなＨＭＩ装置が適用された制御監視システムにおいては、操業者側によるプラントの制御及び監視の多様な要求仕様に柔軟に対応させるため、ＨＭＩ装置が多機能化し、それに伴って画面仕様も増大している。
【０００４】
例えば、鉄鋼プラントに用いられるＨＭＩ装置を備えた制御監視システムにおいて、ＨＭＩ装置の画面設計を行う設計者は、画面上に表示される１万点を越える表示用品と数万点におよぶ操作信号や表示信号等のＨＭＩインタフェース信号の登録を行う必要があり、設計業務の効率向上の手段が切望されていた。
【０００５】
特許文献１には、この設計作業の機械化・自動化の為に、任意の制御プログラムデータを入力することによって、グラフィカルデータとデバイス名とを対応させたグラフィカルな監視画面を作成するプラント監視画面作成装置が提案されている。
【先行技術文献】
【特許文献】
【０００６】
【特許文献１】特開平９−２８２０２５号公報
【特許文献２】特許第４９７１２２６号公報
【特許文献３】特許第５７７２６３９号公報
【特許文献４】特開２０１４−４８９９３号公報
【発明の概要】
【発明が解決しようとする課題】
【０００７】
また、昨今のプラントの大規模化に伴って、制御監視システムも大規模化されており、このような大規模プラントの制御監視システムでは、制御装置とこの制御装置にネットワークを介して接続されるＨＭＩ装置とを備える構成とする場合が多くなっている。ネットワークには、高信頼性とリアルタイム性を実現するために、コモンメモリ方式によるスキャン伝送（周期的な同報伝送）でデータの同時性を確保可能なネットワークが用いられる。このような構成を有する制御監視システムにおいては、制御装置とＨＭＩ装置との間でコモンメモリを介して操作信号及び表示信号を送受信するための定義情報が必要である。
【０００８】
しかしながら、特許文献１に記載のプラント監視画面作成装置を大規模プラントの制御監視システムに適用した場合、操作信号及び表示信号を送受信するための定義情報を、設計者が手作業で入力しなければならないので、設計者にとって非常に大きな負担となり、膨大な作業時間が必要になると共に、作業ミスの発生の原因となっていた。このような課題を解決するために、特許文献２では、ネットワークを介して接続された制御装置とＨＭＩ装置との間で操作信号及び表示信号を送受信するための定義情報を正確に生成することで、作業時間及び作業ミスを低減する設計支援装置が提案されている。
【０００９】
また、制御装置とＨＭＩ装置により構成される既設システムにおいては、機器劣化が早いことから、ＨＭＩ装置を優先して早期に更新する事例が多い。長い年月が経過したＨＭＩ装置の更新に際しては、既存のＨＭＩ装置の仕様書が現存していない事例もある。その場合、既存のＨＭＩ装置の仕様書を復元する必要があり、膨大な労力と時間を要することとなる。このような課題を解決するために、特許文献３では、既存のＨＭＩ装置で用いられていたプラント制御監視画面ソフトウェアの解読作業や当該ソフトウェアからの仕様書や画面イメージの復元作業を可能にする設計支援装置が提案されている。
【００１０】
さらに、既設のネットワーク（以下、旧ネットワークという）に接続された既存のＨＭＩ装置（以下、旧ＨＭＩ装置という）を、新設のネットワーク（以下、新ネットワークという）に接続された新しいＨＭＩ装置（以下、新ＨＭＩ装置という）へ、リプレースする事例がある。新ネットワークでは、旧ネットワークとは別個のコモンメモリが用いられるため、新旧ネットワークに同時に接続可能なゲートウェイ（転送装置）を設け、新ＨＭＩ装置からの操作信号と制御装置からの表示信号とを、ゲートウェイを介して新旧ネットワーク間で転送する必要がある。
【００１１】
新旧ネットワークでコモンメモリのアドレスは異なるため、従来のゲートウェイでは、旧ネットワークの制御装置から送信された表示信号をそのまま新ネットワークに転写した後、制御装置から送信される表示信号のアドレスを、新ＨＭＩ装置の表示信号のアドレスに一から割り当てなおす転送プログラムの提供が必要である。その結果、数万点におよぶ表示信号について、新ネットワーク上には、制御装置から転写された表示信号と新ＨＭＩ装置への入力信号が重複して存在することとなり、新ネットワークの負荷となり、設計作業効率化の障害となっている。また、ゲートウェイに専用の転送プログラムを適用するにはゲートウェイの専門知識も必要となる。
【００１２】
本発明は、ＨＭＩ装置のリプレースに際し、旧ネットワークの制御装置から送信される表示信号を、新ネットワークにそのまま転写した後、新ネットワーク上の信号として転用することで、新ネットワークの負荷軽減と新ＨＭＩ装置の設計効率の向上を図ることができる設計支援装置を提供することを目的とする。
【課題を解決するための手段】
【００１３】
本発明は、上記の目的を達成するため、表示信号を送信する制御装置と、メモリが配置された３つ以上のノードを有し、各ノードのメモリの情報を周期的に交換することで仮想的に同一メモリ空間を共有する第１コモンメモリを備えるネットワークであって、第１ノードに接続し表示信号を送信する制御装置と、第２ノードに接続し前記表示信号を受信して画面上に表示用品を表示する旧ＨＭＩ装置と、第３ノードに接続するゲートウェイとの間で、前記第１コモンメモリを介して信号を共有する第１ネットワークと、
メモリが配置された２つ以上のノードを有し、各ノードのメモリの情報を周期的に交換することで仮想的に同一メモリ空間を共有する第２コモンメモリを備えるネットワークであって、第４ノードに接続する前記ゲートウェイと、第５ノードに接続し前記表示信号を受信して画面上に表示用品を表示する新ＨＭＩ装置との間で、前記第２コモンメモリを介して信号を共有する第２ネットワークと、を備え、
前記ゲートウェイは、前記第１コモンメモリの各アドレスが指定する記憶領域に記憶された信号を、第２コモンメモリに指定した先頭アドレス以降の各アドレスが指定する記憶領域に、アドレス間の相対位置を変えずにそのまま転写するように構成された制御監視システムにおいて、前記新ＨＭＩ装置の設計を支援する設計支援装置であって、
前記旧ＨＭＩ装置の表示用品に関連付けられた旧表示信号名称と、前記表示信号を格納する記憶領域を指定する前記第１コモンメモリのアドレスとが関連付けられた旧プラント制御管理仕様情報を取得する取得部と、
前記旧プラント制御管理仕様情報と前記先頭アドレスとに基づいて、前記表示信号を格納する記憶領域を指定する前記第１コモンメモリのアドレスを、アドレス間の相対位置を変えずに、前記第２コモンメモリで使用可能なアドレス形式に変換した新アドレスと、前記旧表示信号名称を前記新ＨＭＩ装置で使用可能な名称形式に変換した新表示信号名称とを関連付けて、前記新ＨＭＩ装置の新プラント制御管理仕様情報を生成する変換部と、を備えることを特徴とする。
【００１４】
さらに、前記新プラント制御管理仕様情報から、前記新ＨＭＩ装置の表示用品に関連付けられた前記新表示信号名称と、前記新表示信号名称に関連付けられた前記新アドレスとを含む情報であって、前記新ＨＭＩ装置が読み込み可能なファイル形式に変換されたタグ変数情報を生成するタグ変数情報生成部、を備えることを特徴とする。
【発明の効果】
【００１５】
本発明によれば、ゲートウェイは、第１コモンメモリの各アドレスの信号を、第２コモンメモリの各アドレスに、アドレス間の相対位置を変えずにそのまま転写する。また、変換部は、旧プラント制御管理仕様情報から、前記表示信号を格納する前記第１コモンメモリのアドレスを、アドレス間の相対位置を変えずに、前記第２コモンメモリで使用可能なアドレス形式に変換した新プラント制御管理仕様情報を生成する。この新プラント制御管理仕様情報を用いることで、旧ネットワークの制御装置から送信される表示信号を、新ネットワークにそのまま転写した後、新ネットワーク上の信号として転用して割り付けることができ、新ネットワークの負荷軽減と新ＨＭＩ装置の設計効率の向上を図ることができる。
【図面の簡単な説明】
【００１６】
【図１】本発明の実施の形態１に係る設計支援装置１が適用された制御監視システム１０の構成を示す構成図である。
【図２】新ＨＭＩ装置７に表示された監視画面の一例を示した図である。
【図３】ゲートウェイ６によるネットワーク間のデータ転送について説明するための図である。
【図４】本発明の実施の形態１に係る設計支援装置１の構成を示す構成図である。
【図５】旧ＨＭＩ装置５の画面情報から生成された旧プラント制御管理仕様情報４０の一例を示す図である。
【図６】信号・信号名称変換部４３による旧プラント制御管理仕様情報から新プラント制御管理仕様情報への変換例を示す図である。
【図７】本発明の実施の形態１に係る設計支援装置１において、旧プラント制御管理仕様情報を変換して新プラント制御管理仕様情報を生成する処理ルーチンを示すフローチャートである。
【図８】本発明の実施の形態１に係る設計支援装置１がタグ変数情報を生成する処理ルーチンを示すフローチャートである。
【発明を実施するための形態】
【００１７】
以下、図面を参照して本発明の実施の形態について詳細に説明する。尚、各図において共通する要素には、同一の符号を付して重複する説明を省略する。
【００１８】
実施の形態１．
＜実施の形態１のシステム構成＞
図１は、本発明の実施の形態１に係る設計支援装置１が適用された制御監視システム１０の構成を示す構成図である。
【００１９】
図１に示すように、実施の形態１に係る設計支援装置１が適用された制御監視システム１０は、第１ネットワークとして既設の旧ネットワーク２、第２ネットワークとして新設の新ネットワーク３を備える。
【００２０】
旧ネットワーク２および新ネットワーク３は、高信頼性とリアルタイム性を実現するために、コモンメモリ方式によるスキャン伝送（周期的な同報伝送）でデータの同時性を確保可能なネットワークである。具体的には、複数のノードを有するネットワーク上の各ノードにメモリが配置され、各メモリの情報を周期的に交換することで仮想的に同一メモリ空間を共有するコモンメモリを備えるネットワークである。また、新ネットワーク３のコモンメモリ（第２コモンメモリ）の容量は、旧ネットワーク２のコモンメモリ（第１コモンメモリ）の容量よりも大きく、新ネットワーク３の通信速度は、旧ネットワーク２よりも速い。
【００２１】
旧ネットワーク２には、第１コモンメモリを共有する制御装置４、旧ＨＭＩ装置５、ゲートウェイ６が接続されている。新ネットワーク３には、第２コモンメモリを共有するゲートウェイ６、新ＨＭＩ装置７が接続されている。
【００２２】
（新旧ネットワーク）
旧ネットワーク２では、第１コモンメモリを介して、制御装置４から旧ＨＭＩ装置５へ表示信号が、旧ＨＭＩ装置５から制御装置４へ操作信号が送受信される。
【００２３】
旧ＨＭＩ装置５は、老朽化により新ＨＭＩ装置７にリプレースされるものである。リプレース前において、旧ＨＭＩ装置５は、内部に記憶した画面情報に基づいて、監視画面を表示すると共に、利用者による監視画面の操作に基づいて操作信号を生成し、第１コモンメモリを介して生成された操作信号を制御装置４へ送信する。また、旧ＨＭＩ装置５は、第１コモンメモリを介して制御装置４から受信した表示信号に基づいて、監視画面上に表示用品を表示する。なお、監視画面とは、利用者が制御対象であるプラントを監視するために用いられる画面と、利用者が制御対象であるプラントを操作するために用いられる画面を含むものである。
【００２４】
制御装置４は、第１コモンメモリを介して旧ＨＭＩ装置５から受信した操作信号に基づいて、各種プラント機器（図示省略）を制御する。また、制御装置４は、旧ＨＭＩ装置５の監視画面上に表示用品を表示するための表示信号を生成し、第１コモンメモリを介して生成された表示信号を旧ＨＭＩ装置５へ送信する。
【００２５】
ところで、旧ネットワーク２に接続された老朽化した旧ＨＭＩ装置５を、新ネットワーク３に接続される新ＨＭＩ装置７へリプレースする際、旧ネットワーク２と新ネットワーク３とは、通信規格等が異なるため、新ＨＭＩ装置７を、直接、旧ネットワーク２に接続することは困難であり、又、旧ネットワーク２に接続されていた制御装置４を、直接、新ネットワーク３に接続することも困難である。そこで、新旧ネットワークに同時に接続可能なゲートウェイ６を設け、新ＨＭＩ装置７からの操作信号と制御装置４からの表示信号とを、ゲートウェイ６を介して新旧ネットワーク間で転送する。
【００２６】
ゲートウェイ６は、第１コモンメモリの各アドレスの信号を、第２コモンメモリの指定した先頭アドレス以降の各アドレスに、アドレス間の相対位置を変えずにそのまま転写（コピー）するように構成されている。
【００２７】
新ＨＭＩ装置７は、旧ＨＭＩ装置５からリプレースされることにより、新旧ネットワークを介して制御装置４と接続する。新ＨＭＩ装置７は、内部に記憶したタグ変数情報と監視画面情報とに基づいて監視画面を表示する。なお、監視画面とは、利用者が制御対象であるプラントを監視するために用いられる画面と、利用者が制御対象であるプラントを操作するために用いられる画面を含むものである。
【００２８】
また、新ＨＭＩ装置７は、利用者による監視画面の操作に基づいて操作信号を生成し、この生成された操作信号を、新旧ネットワークを介して制御装置４へ送信する。また、新ＨＭＩ装置７は、新旧ネットワークのコモンメモリを介して制御装置４から受信した表示信号に基づいて、監視画面上に表示用品を表示する。
【００２９】
なお、制御装置４から新ＨＭＩ装置へ送信される表示信号は新旧ネットワークのコモンメモリを介して伝送されるが、新ＨＭＩ装置７から制御装置４へ送信される操作信号の伝送方式は、コモンメモリによる周期的な伝送に限定されるものではなく、ＴＣＰ／ＩＰ、ＵＤＰ／ＩＰ標準プロトコルによる非周期的なメッセージ伝送であってもよい。
【００３０】
図２は、新ＨＭＩ装置７に表示された監視画面の一例を示した図である。なお、旧ＨＭＩ装置５も同様の監視画面を有する。図２に示すように、表示された監視画面は、ヒータやポンプ等のプラント機器の操作端に対応する表示用品を表示する領域を示す表示枠が表示されており、それぞれの操作端には、操作端の名称２１や操作表示項目２２が表示されている。また、監視画面上には、様々な表示用品２３が配置されており、利用者が、監視画面上の表示用品２３を押下操作すると、この押下操作された表示用品２３に応じた操作信号を生成する。
【００３１】
（ゲートウェイ）
図３は、ゲートウェイ６によるネットワーク間のデータ転送について説明するための図である。上述したように、ゲートウェイ６は、第１コモンメモリ３１の各アドレスの信号を、第２コモンメモリの指定した先頭アドレス以降の各アドレスに、アドレス間の相対位置を変えずにそのまま転写（コピー）する。転写は１ブロック単位で行われ、１ブロックは６４ワード単位である。
【００３２】
図３に示す一例では、第１コモンメモリ３１のアドレス表記がＡＷ０〜ＡＷ３２７６７、第２コモンメモリ３２のアドレス表記がＸＷ０〜ＸＷ６５５３６である。第２コモンメモリ３２は第１コモンメモリ３１の２倍のアドレス領域を有する。制御装置４から旧ＨＭＩ装置５への表示信号はＡＷ１０００〜ＡＷ２０００のアドレス領域に割り当てられている。先頭アドレスとしてＸＷ２０００が指定され、第１コモンメモリ３１のＡＷ１０００〜ＡＷ２０００のアドレス領域に記憶されたデータ（表示信号）は、第２コモンメモリ３２のＸＷ２０００〜ＸＷ３０００のアドレス領域へ、アドレス間の相対位置を変えずに転写（コピー）される。
【００３３】
（設計支援装置）
図４は、本発明の実施の形態１に係る設計支援装置１の構成を示す構成図である。設計支援装置１は、プロセッサ、メモリ、入出力インタフェースを備えた汎用コンピュータである。プロセッサがメモリに記憶された所定のプログラムを実行することにより図４に示す各部の機能が実現される。
【００３４】
入出力装置４１は、利用者に操作されるキーボード、マウス等の入力装置と、ディスプレイ等の出力装置とを備える。入出力装置４１は、利用者の入力装置の操作に応じた信号を、取得部４２、編集部４５、タグ変数情報生成部４６に送信する。また、編集部４５からの信号を出力装置に出力する。
【００３５】
取得部４２は、入出力装置４１からの取得信号に応じて、旧プラント制御管理仕様情報４０を取得する。旧プラント制御管理仕様情報４０は、少なくとも旧ＨＭＩ装置５の表示用品に関連付けられた旧表示信号名称と、表示信号を格納する第１コモンメモリのアドレスとが関連付けられた情報を含み、旧ＨＭＩ装置５に記憶された画面情報に基づいて生成される。旧プラント制御管理仕様情報４０は、例えば特許第５７７２６３９号公報、特開２０１４−４８９９３号公報等に記載された手法を用いて生成可能である。
【００３６】
旧プラント制御管理仕様情報４０に含まれる要素について説明する。図５は、旧ＨＭＩ装置５の画面情報から生成された旧プラント制御管理仕様情報４０の一例を示す図である。
【００３７】
図５に例示する旧プラント制御管理仕様情報４０には、旧ＨＭＩ装置５に表示される監視画面の番号である画面番号５１、監視画面上の用品（表示用品および操作用品）固有の番号である用品番号５２、用品の種類を一意に識別するための用品種別５３および５４、用品の説明（例えば用品の名称）であるコメント５５、操作信号が格納される第１コモンメモリのアドレス５６、操作信号の名称を示す旧操作信号名称５７、表示信号が格納される第１コモンメモリのアドレス５８、表示信号の名称を示す旧表示信号名称５９が含まれている。
【００３８】
上述した要素が関連付けられた情報により旧プラント制御管理仕様情報４０の１レコードが構成される。旧プラント制御管理仕様情報４０の各レコードは、監視画面の画面番号、用品固有の用品番号、用品種別の３つのデータの組み合わせをキーとして特定できる。
【００３９】
なお、図５では省略されているが、プラント制御管理仕様情報の要素には、監視画面上における用品の位置情報、用品の属性情報も含まれてもよい。属性情報には、例えば用品に含まれる操作ボタンの色やボタンに表示させるための表示名称等も含まれる。
【００４０】
図４に戻り説明を続ける。信号・信号名称変換部４３は、旧プラント制御管理仕様情報４０から新ＨＭＩ装置７を設計するための新プラント制御管理仕様情報を生成する。
【００４１】
具体的には、信号・信号名称変換部４３は、表示信号を格納する第１コモンメモリのアドレス５８を、アドレス間の相対位置を変えずに、第２コモンメモリで使用可能なアドレス形式に変換した新アドレスを生成する。また、信号・信号名称変換部４３は、旧表示信号名称５９を新ＨＭＩ装置７で使用可能な名称形式に変換した新表示信号名称を生成する。そして、信号・信号名称変換部４３は、生成された新アドレスと新表示信号名称とを関連付けて、新プラント制御管理仕様情報を生成する。なお、第２コモンメモリ上に表示信号を格納するアドレスの先頭位置は、上述したゲートウェイ６において指定した先頭アドレスと同アドレスである。
【００４２】
さらに、信号・信号名称変換部４３は、操作信号を格納する第１コモンメモリのアドレス５６、旧操作信号名称５７についても上述した表示信号と同様に変換して、新プラント制御管理仕様情報に含む。また、旧プラント制御管理仕様情報４０の画面番号５１、用品番号５２、用品種別５３および５４、コメント５５は、新プラント制御管理仕様情報に流用される。
【００４３】
図６は、信号・信号名称変換部４３による旧プラント制御管理仕様情報を新プラント制御管理仕様情報に転用する例を示す図である。
【００４４】
旧プラント制御管理仕様情報の画面番号５１、用品番号５２、用品種別５３および５４、コメント５５は、それぞれ新プラント制御管理仕様情報の画面番号６１、用品番号６２、用品種別６３および６４、コメント６５にそのまま流用（コピー）される。
【００４５】
旧ＨＭＩ装置５の操作信号が格納される第１コモンメモリのアドレス５６、表示信号が格納される第１コモンメモリのアドレス５８は、それぞれ各レコードのアドレス間の相対位置を変えずに（アドレスを相対的に換算し）、第２コモンメモリで使用可能なアドレス形式に変換されて、新アドレス６６および６８となる。変換ルールは、予め設定されているものとする。
【００４６】
旧ＨＭＩ装置５の操作信号の名称を示す旧操作信号名称５７、表示信号の名称を示す旧表示信号名称５９は、それぞれ新ＨＭＩ装置７で使用可能な名称形式に変換されて、新操作信号名称６７、新表示信号名称６９となる。変換ルールは、予め設定されているものとする。
【００４７】
記憶部４４は、信号・信号名称変換部４３により生成された新プラント制御管理仕様情報を記憶する。
【００４８】
図７は、本発明の実施の形態１に係る設計支援装置１において、旧プラント制御管理仕様情報を変換して新プラント制御管理仕様情報を生成する処理ルーチンを示すフローチャートである。本処理ルーチンは、入出力装置４１からの所得信号に応じて実行される。
【００４９】
図７に示す処理ルーチンでは、まず、ステップＳ１００において、取得部４２は、入出力装置４１から取得信号を受信すると旧プラント制御管理仕様情報４０を取得する。
【００５０】
次に、ステップＳ１１０において、信号・信号名称変換部４３は、旧プラント制御管理仕様情報４０からレコード数（用品数）Ｎを取得し、レコード番号を示す変数ｉに初期値として１を代入する。
【００５１】
次に、ステップＳ１２０において、信号・信号名称変換部４３は、判定条件ｉ≦Ｎが成立するか否かを判定する。
【００５２】
ステップＳ１２０においてｉ≦Ｎと判定された場合、ステップＳ１３０において、信号・信号名称変換部４３は、旧プラント制御管理仕様情報４０からｉ番目のレコードを取得する。信号・信号名称変換部４３は、ｉ番目のレコードに含まれる操作信号を格納する第１コモンメモリのアドレス５６、表示信号を格納する第１コモンメモリのアドレス５８を、それぞれ第２コモンメモリで使用可能なアドレス形式に変換して、新アドレス６６および６８とする。ここで、変換ルールは、各レコード間でアドレスの相対位置を変えないように定義されている。
【００５３】
さらに、ステップＳ１３０において、信号・信号名称変換部４３は、ｉ番目のレコードに含まれる旧ＨＭＩ装置５の操作信号の名称を示す旧操作信号名称５７、表示信号の名称を示す旧表示信号名称５９を、それぞれ新ＨＭＩ装置７で使用可能な名称形式に変換して、新操作信号名称６７、新表示信号名称６９とする。
【００５４】
さらに、ステップＳ１３０において、信号・信号名称変換部４３は、ｉ番目のレコードに含まれる画面番号５１、用品番号５２、用品種別５３および５４、コメント５５を、画面番号６１、用品番号６２、用品種別６３および６４、コメント６５としてそのまま流用する。
【００５５】
ステップＳ１４０において、変数ｉにｉ＋１を代入し、ステップＳ１２０から処理を継続する。全てのレコードについての変換が完了し、ステップＳ１２０においてｉ＞Ｎと判定されると、新プラント制御管理仕様情報は記憶部４４に記憶される（ステップＳ１５０）。その後、本ルーチンは終了される。
【００５６】
図４に戻り説明を続ける。記憶部４４に記憶された新プラント制御管理仕様情報は、利用者の操作に基づいて編集可能である。編集部４５は、入出力装置４１からの編集信号に応じて新プラント制御管理仕様情報を編集する。例えば、利用者の操作により操作信号が格納される第２コモンメモリの新アドレス６６が編集される。
【００５７】
タグ変数情報生成部４６は、新プラント制御管理仕様情報から、新ＨＭＩ装置７の表示用品毎に、表示用品に関連付けられた新表示信号名称６９と、新表示信号名称６９に関連付けられた新アドレス６８とを含む情報であって、新ＨＭＩ装置７が読み込み可能なファイル形式に変換されたタグ変数情報を生成する。なお、タグ変数情報には、操作信号に関する新操作信号名称６７および新操作信号名称６７に関連付けられた新アドレス６６が含まれることが好ましい。
【００５８】
図８は、本発明の実施の形態１に係る設計支援装置１がタグ変数情報を生成する処理ルーチンを示すフローチャートである。本処理ルーチンは、入出力装置４１からのタグ変数情報生成信号毎に実行される。
【００５９】
図８に示す処理ルーチンでは、まず、ステップＳ２００において、タグ変数情報生成部４６は、記憶部４４から新プラント制御管理仕様情報を取得する。
【００６０】
次に、ステップＳ２１０において、タグ変数情報生成部４６は、新プラント制御管理仕様情報からレコード数（用品数）Ｎを取得し、レコード番号を示す変数ｉに初期値として１を代入する。
【００６１】
次に、ステップＳ２２０において、タグ変数情報生成部４６は、判定条件ｉ≦Ｎが成立するか否かを判定する。
【００６２】
ステップＳ２２０において、ｉ≦Ｎと判定された場合、ステップＳ２３０において、タグ変数情報生成部４６は、新プラント制御管理仕様情報からｉ番目のレコードを取得する。タグ変数情報生成部４６は、ｉ番目のレコードの表示用品に関連付けられた新表示信号名称６９と、新表示信号名称６９に関連付けられた新アドレス６８とを含み、新ＨＭＩ装置７が読み込み可能なファイル形式に変換されたタグ変数情報を生成する。なお、タグ変数情報には、操作信号に関する新操作信号名称６７および新アドレス６６が含まれてもよい。
【００６３】
ステップＳ２４０において、変数ｉにｉ＋１を代入し、ステップＳ２２０から処理を継続する。全てのレコードについての変換が完了し、ステップＳ２２０においてｉ＞Ｎと判定されると、タグ変数情報生成部４６はタグ変数情報４７を出力する（ステップＳ２５０）。その後、本ルーチンは終了される。
【００６４】
出力されたタグ変数情報４７は、新ＨＭＩ装置７に設定される。タグ変数情報が設定されることで、新ＨＭＩ装置７は、第２コモンメモリから表示信号を受信し、タグ変数情報から表示信号に対応する新表示信号名称を取得し、新表示信号名称に関連付けられた監視画面上の表示用品に信号内容を反映することができる。
【００６５】
（効果）
以上説明したように、本実施形態のシステムによれば、第１コモンメモリと第２コモンメモリ３２はアドレス体系が異なり、制御装置４が送信する各表示信号はゲートウェイ６により、第１コモンメモリから第２コモンメモリへそのまま転写される。すなわち、各表示信号の第１コモンメモリ上のアドレス５８の構成（並び）は、第２コモンメモリ上の各表示信号の新アドレス６８の構成（並び）へ踏襲される。
本発明ではこの点に着目し、信号・信号名称変換部４３は、先頭アドレスを指定して、アドレス間の相対位置を変えない変換ルールで、各表示信号に関して第１コモンメモリ上のアドレス５８を変換して、第２コモンメモリ上の新アドレス６８を自動的に割り付ける。そのため、新ＨＭＩ装置７の表示信号のアドレス設計に関して、手動で第２コモンメモリ上の新アドレスを割り付ける必要がなく、新ＨＭＩ装置７の設計効率の向上を図ることができる。
また、タグ変数情報４７が設定された新ＨＭＩ装置７は、第１コモンメモリから第２コモンメモリに転写された各表示信号を、新ネットワーク３上の表示信号として直接参照（転用）できるため、第２コモンメモリ上で表示信号が重複することなく、新ネットワーク３の負荷軽減が図れる。また、新ＨＭＩ装置７の表示信号の受信に関しては、専用の転送プログラムは不要となる。
【符号の説明】
【００６６】
１  設計支援装置
２  旧ネットワーク
３  新ネットワーク
４  制御装置
５  旧ＨＭＩ装置
６  ゲートウェイ
７  新ＨＭＩ装置
１０  制御監視システム
２１  操作端の名称
２２  操作表示項目
２３  表示用品
３１  第１コモンメモリ
３２  第２コモンメモリ
４０  旧プラント制御管理仕様情報
４１  入出力装置
４２  取得部
４３  信号・信号名称変換部
４４  記憶部
４５  編集部
４６  タグ変数情報生成部
４７  タグ変数情報
５１、６１  画面番号
５２、６２  用品番号
５３、５４、６３、６４  用品種別
５５、６５  コメント
５６  操作信号が格納される第１コモンメモリのアドレス
５７  旧操作信号名称
５８  表示信号が格納される第１コモンメモリのアドレス
５９  旧表示信号名称
６６  操作信号が格納される第２コモンメモリの新アドレス
６７  新操作信号名称
６８  表示信号が格納される第２コモンメモリの新アドレス
６９  新表示信号名称
【図１】
0006558250.tif 000002
【図２】
0006558250.tif 000003
【図３】
0006558250.tif 000004
【図４】
0006558250.tif 000005
【図５】
0006558250.tif 000006
【図６】
0006558250.tif 000007
【図７】
0006558250.tif 000008
【図８】
0006558250.tif 000009